(57)【要約】      （修正有）【課題】タイラバ釣りにおいて釣り具をロッドホルダーに収容する際に、タイラバを効果的に固定することの可能なロッドホルダーを提供する。【解決手段】釣竿２００を収容するための釣竿収容部１１０と、釣竿収容部１１０と一体に設けられ、釣竿２００に取り付けられるタイラバ２１０を収容するためのタイラバ収容部１２０とを備える。タイラバ収容部１２０は円筒形状であり、その上部にタイラバ２１０を通過させる開口部が設けられ、開口部は、傾斜面として形成することができる。さらに、開口部を開閉するための蓋を備え、蓋を円筒の軸と同軸にスライド回転することで、開口部が開閉される。釣竿２００を収容する際に、タイラバ２１０を効果的に固定することが可能である。【選択図】図２
0003189484.tif 000002
【実用新案登録請求の範囲】
【請求項１】
釣竿を収容するための１又は２以上の釣竿収容部と、
前記釣竿収容部と一体に設けられ、前記釣竿に取り付けられるタイラバを収容するためのタイラバ収容部と、
を備えたことを特徴とする、ロッドホルダー。
【請求項２】
前記タイラバ収容部は円筒形状であり、その上部に前記タイラバを通過させる開口部が設けられ、前記開口部は、傾斜面として形成されることを特徴とする、請求項１に記載のロッドホルダー。
【請求項３】
さらに、前記開口部を開閉するための開閉手段を備え、
前記開閉手段を、前記円筒の軸と同軸にスライド回転することで、前記開口部が開閉されることを特徴とする、請求項２に記載のロッドホルダー。
【請求項４】
２以上の前記釣竿収容部が連結部により連結されており、
前記タイラバ収容部は、前記連結部に設けられることを特徴とする、請求項１〜３のいずれかに記載のロッドホルダー。
【考案の詳細な説明】
【技術分野】
【０００１】
本考案は、タイラバを収容することの可能なロッドホルダーに関する。
【背景技術】
【０００２】
近年、タイラバ釣りが流行している。タイラバ（鯛ラバ、鯛カブラ、タイカブラなどと称されることもある）は長崎県や徳島県の漁業から発生したと言われる真鯛釣りの伝統漁法で、鉛玉（ヘッド）に通常２本の針が装着されており、それにウタセエビなどの餌をつけ真鯛を釣る漁具である。タイラバでの釣り方は、まずタイラバを釣り糸の先端に結束し、海中に落とす。そして、海底に着底したらゆっくりと釣り糸を巻き上げる、これを繰り返すだけのシンプルな釣法である。簡単な釣法であるが奥も深く、初心者から上級者まで楽しめる。現在は全国的に広まっていて、とても人気の高い釣りである。
【０００３】
タイラバ専用ロッドは様々なメーカーから発売されていて、それらのほとんどが竿先が極端に柔らかいものになっている。タイラバの重量は約４０〜１００ｇが一般的であるが、タイラバ専用ロッドは６０ｇの重さでも曲がってしまう。釣りの際には、釣り船は、ポイントを探すために頻繁に移動を繰り返す。この移動の際には、一旦、釣りを中断して船に装着されているロッドホルダーに釣り具一式を収納する。この移動時には、ロッドのガイド部と呼ばれる箇所にタイラバ針を掛けて固定することが多いが、竿先が柔らかく、しっかりした固定ができない。このため、釣り船の揺れや振動等でタイラバの固定が外れてしまうことがよくある。固定が外れた場合、ロッドが弓のように撓り、鉛の付いた針が暴れだし、周辺の人や器物に損害を与えるおそれがあった。
【考案の概要】
【考案が解決しようとする課題】
【０００４】
そこで、本考案は、このような問題に鑑みてなされたもので、その目的とするところは、タイラバ釣りにおいて釣り具をロッドホルダーに収容する際に、タイラバを効果的に固定することの可能な、新規かつ改良されたロッドホルダーを提供することにある。
【課題を解決するための手段】
【０００５】
上記課題を解決するために、本考案によれば、釣竿を収容するための１又は２以上の釣竿収容部と、前記釣竿収容部と一体に設けられ、前記釣竿に取り付けられるタイラバを収容するためのタイラバ収容部と、を備えたことを特徴とする、ロッドホルダーが提供される。かかる考案によれば、タイラバ収容部をロッドホルダーに備えたことで、釣り具をロッドホルダーに収容する際に、タイラバを効果的に固定することが可能である。
【０００６】
本考案のロッドホルダーは様々な応用が可能である。例えば、前記タイラバ収容部は円筒形状であり、その上部に前記タイラバを通過させる開口部が設けられ、前記開口部を、傾斜面として形成するようにしてもよい。タイラバ収容部を円筒形状とし、タイラバを通過させる開口部を傾斜面として形成することで、タイラバ収容部の手前面よりも奥の面の面積を大きくすることができる。このため、タイラバを収容する際に、タイラバ収容部の奥の面に当てるようにすることで、タイラバを容易に収容させることができる。
【０００７】
また、前記開口部を開閉するための開閉手段（例えば、蓋や扉のようなもの）を備え、前記開閉手段を、前記円筒の軸と同軸にスライド回転することで、前記開口部を開閉するようにしてもよい。タイラバ収容部の開口部の開閉を例えば指一本でも容易に行うことができる。そして、タイラバ収容部の開口部を閉じることによって、タイラバの収容をより確実にすることができる。
【０００８】
また、タイラバ収容部は、ロッドホルダーのどこに設けてもよいが、例えば、２以上の釣竿収容部が連結部により連結されるタイプのロッドホルダーの場合には、タイラバ収容部を、その連結部に設けるようにしてもよい。
【考案の効果】
【０００９】
本考案によれば、タイラバ釣りにおいて釣り具をロッドホルダーに収容する際に、タイラバを効果的に固定することが可能である。なお、本考案のその他の効果については、以下の考案を実施するための形態の項でも説明する。
【図面の簡単な説明】
【００１０】
【図１】第１の実施形態に係るロッドホルダーを示す図である。
【図２】図１のロッドホルダーに釣竿とタイラバを収容した状態を示す図である。
【図３】第２の実施形態に係るタイラバ収容部の構成を示す図である。
【図４】第３の実施形態に係るタイラバ収容部の構成を示す図である。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
（第１の実施形態）
図１は、本考案の第１の実施形態に係るロッドホルダーを示す図である。
本実施形態に係るロッドホルダー１００は、図１に示したように、釣竿を収容するための釣竿収容部１１０−１〜１１０−４（以下、符号１１０で総称する。）と、これら釣竿収容部１１０を連結する連結部１１２と、釣竿収容部１１０と一体に設けられ、釣竿に取り付けられるタイラバを収容するためのタイラバ収容部１２０と、を備えて構成される。
【００１３】
釣竿収容部１１０は、釣竿を収容するためのものである。図１の一例では、４つの釣竿収容部１１０−１〜１１０−４が設けられており、連結部１１２によって連結されている。なお、釣竿収容部１１０の数は４つに限定されず、１つであってもよく、任意の複数個であってもよい。また、連結部１１２の形状等も図示の例に限定されない。釣竿収容部１１０を連結する機能を有していれば、任意の形状等を採用することが可能である。
【００１４】
釣竿収容部１１０は、図１に示した例に限定されず、様々な形態のものを採用することができる。例えば、図１に示した例では、釣竿収容部１１０には、釣竿を立て掛けるための切欠き１１４が設けられているが、これは必須のものではない。なお、本実施形態の説明において、この釣竿収容部１１０自体には格別の特徴はなく、一般的なものを採用することも可能であるため、これ以上の詳細な説明は省略する。
【００１５】
タイラバ収容部１２０は、釣竿２００に取り付けられるタイラバ２１０を収容するためのものであり、釣竿収容部１１０と一体に設けられる。なお図１の例では、タイラバ収容部１２０は、釣竿収容部１１０の連結部１１２に設けられているが、釣竿収容部１１０と一体であれば、どこに設けてもよい。タイラバ収容部１２０は、図１に示したように、例えば円筒形状であり、上部が開口している。この上部の開口から、タイラバをタイラバ収容部１２０に収容することができる。
【００１６】
図２は、釣竿収納部１１０に釣竿２００を収容し、タイラバ収容部１２０にタイラバを収容した状態を示す。このように本実施形態のロッドホルダー１００によれば、竿先が柔らかい釣竿であっても、タイラバ１２０をしっかりと固定することができる。このため、釣り船の揺れや振動等でタイラバ１２０の固定が外れてしまうことを効果的に防止でき、周辺の人や器物に損害を与えるおそれを、効果的に低減することが可能である。
【００１７】
（第２の実施形態）
本考案の第２の実施形態として、タイラバ収容部の応用例について説明する。
図３は、本実施形態に係るタイラバ収容部の構成を示す図である。
【００１８】
本実施形態に係るタイラバ収容部１２０は、図３（ａ）に示したように、円筒形状であり、その上部に開口部１２２が設けられている。この開口部１２２にタイラバ２１０を通過させることで、図３（ｂ）に示したように、タイラバ収容部１２０にタイラバ２１０を収容することができる。ここで開口部１２２は、図３（ａ）に示したように、傾斜面として形成されている。
【００１９】
図３（ａ）に示したように、開口部１２２を傾斜面として形成することで、タイラバ収容部１２０の手前面１２６よりも奥面１２４を大きくすることができる。タイラバ２１０を収容する際に、図３（ｂ）に示したように、タイラバ収容部１２０の手前から奥に向けて開口部１２２を通過することになるが、この際に、タイラバ２１０を奥面１２４に当てることによって、容易にタイラバ２１０を収容することができる。
【００２０】
（第３の実施形態）
本考案の第３の実施形態として、タイラバ収容部の他の応用例について説明する。
図４は、本実施形態に係るタイラバ収容部の構成を示す図である。
【００２１】
図４（ａ）に示したように、本実施形態に係るタイラバ収容部１２０には、開口部１２２を開閉するための蓋１２８が備えられている。図４（ｂ）は、タイラバ収容部１２０に蓋１２８をかぶせた状態を示す。なお、蓋１２８のサイズ（径など）は、タイラバ収容部１２０のサイズに合わせて、適切なサイズとすることができる。例えば、蓋１２８のサイズは、タイラバ収容部１２０に無理なくかぶせられるように小さすぎることがなく、また、タイラバ収容部１２０にかぶせた際に過度にぐらつかないように、大きすぎることがないサイズとすることが好ましい。
【００２２】
そして、蓋１２８は、図４（ｃ）に示したように、タイラバ収容部１２０の円筒の軸と同軸にスライド回転することで、開口部１２２を開閉することができる。図４（ｃ）は、図４（ｂ）の状態に対して、蓋１２８を１８０度回転して、蓋１２８で開口部１２２を閉じた状態を示す。このように、本実施形態によれば、タイラバ収容部１２０の開口部１２２を、指一本で容易に開閉することができる。そして、タイラバ収容部１２０の開口部１２２を閉じることによって、タイラバの収容をより確実にすることができる。
【００２３】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２４】
例えば、上記実施形態では、タイラバ収容部１２０が円筒形状である例を説明したが、本考案はこれに限定されない。例えば多角柱など任意の形状を採用することができる。
【００２５】
また、上記実施形態では、タイラバ収容部１２０の開口部１２２が傾斜面として形成される例を説明したが、本考案はこれに限定されない。例えば、傾斜面に代えて段差面にしてもよい。特に、タイラバ収容部１２０の奥面を手前面よりも大きくすることができれば、上記実施形態と同様の効果を得ることができる。
【００２６】
また、上記実施形態では、蓋１２８がスライド回転する例を説明したが、本考案はこれに限定されない。他の形態で開閉するようにしてもよい。例えば、蓋１２８を備える代わりに、タイラバ収容部１２０の開口部１２２に、扉のようなものを設けて、この扉をスライド等することによって開口部１２２を開閉するようにしてもよい。
【産業上の利用可能性】
【００２７】
本考案は、タイラバを収容することの可能なロッドホルダーに利用可能である。
【符号の説明】
【００２８】
１００  ロッドホルダー
１１０  釣竿収容部
１１２  連結部
１２０  タイラバ収容部
１２２  開口部（傾斜面）
１２４  奥の面
１２６  手前面
１２８  蓋（開閉手段）
２００  釣竿
２１０  タイラバ
【図１】
0003189484.tif 000003
【図２】
0003189484.tif 000004
【図３】
0003189484.tif 000005
【図４】
0003189484.tif 000006